(57)【要約】【課題】片手で容易に操作可能な携帯無線端末を提供すること。【解決手段】携帯無線端末１００は、所定の機能を切り替え可能な機能切替スイッチと、外的刺激を検知するセンサ１０５と、センサ１０５から出力される検知情報から所定のパターンが検出された場合に、機能切替スイッチで切り替え可能な機能を切り替える制御部１０７とを備える。【選択図】図２
2015194960.tif 000002
【特許請求の範囲】
【請求項１】
所定の機能を切り替え可能な機能切替スイッチと、
外的刺激を検知するセンサと、
前記センサから出力される検知情報から所定のパターンが検出された場合に、前記機能切替スイッチで切り替え可能な機能を切り替える制御部と
を具備することを特徴とする携帯無線端末。
【請求項２】
前記センサのオン／オフを制御するセンサ制御スイッチをさらに具備し、
前記制御部は、前記センサ制御スイッチがオン状態の場合に、前記センサから出力される検知情報から所定のパターンが検出された場合に、前記機能切替スイッチで切り替え可能な機能を切り替え、前記センサ制御スイッチがオフ状態になった場合に、前記機能切替スイッチの物理的な設定状態に前記機能を切り替えることを特徴とする請求項１に記載の携帯無線端末。
【請求項３】
前記センサは、３次元加速度センサ又は光センサであることを特徴とする請求項１又は２に記載の携帯無線端末。
【発明の詳細な説明】
【技術分野】
【０００１】
この発明は、例えば、現場作業で使用される業務用無線機等の携帯無線端末に関する。
【背景技術】
【０００２】
パブリックセーフティ向けの携帯型の業務用無線機は、高信頼性、高堅牢性、高耐久性が求められるため、無線機自体の形状が大きく、重量が重いという特徴を持つ。また、使用状況からグローブをはめた状態で取り扱うことも多いため、業務用無線機に備え付けられるスイッチの形状は大きい。
【０００３】
例えば、スイッチとしては、送信を実行するＰＴＴボタン、通話チャネルを切り替えるチャネル切替スイッチ、電源及び音量を切り替える音量切替スイッチ等が備えられている。通話チャネルを切り替えるチャネル切替スイッチは、機械的なロータリー構造のスイッチにチャネルが割り振られ、各チャネルには使用する周波数、通信方式が登録されている。使用者は、そのチャネルを切り替えて使用するが、パブリックセーフティ向けの業務用無線機は上記の特徴から、片手で取り扱うことが困難である。
【０００４】
なお、携帯端末に備えられた加速度センサから得られる信号を用いて、煩雑なボタン操作なしに、より簡便に情報の検索、閲覧を可能にする情報検索端末が提案されている（例えば、特許文献１を参照）。
【先行技術文献】
【特許文献】
【０００５】
【特許文献１】特開２００２−１４９６１６号公報
【発明の概要】
【発明が解決しようとする課題】
【０００６】
上述したように、業務用無線機には、図１に示すように、送信を実行するＰＴＴボタン、通話チャネルを切り替えるチャネル切替スイッチ、電源および音量切替スイッチ等が備えられているが、パブリックセーフティ向けの業務用無線機は、無線機自体の形状が大きく、重量が重く、またスイッチ形状が大きいという特徴を持つ。その特徴ゆえ、片手での操作が困難であるという問題点がある。
【０００７】
この発明は上記事情に着目してなされたもので、その目的とするところは、片手での操作を容易にする携帯無線端末を提供することにある。
【課題を解決するための手段】
【０００８】
上記目的を達成するためにこの発明の第１の態様は、所定の機能を切り替え可能な機能切替スイッチと、外的刺激を検知するセンサと、前記センサから出力される検知情報から所定のパターンが検出された場合に、前記機能切替スイッチで切り替え可能な機能を切り替える制御部とを具備する携帯無線端末を提供する。  
上記第１の態様によれば、悪環境下の現場においても、片手で容易に端末の各種機能を切り替えることができ、使用者の利便性が向上する。
【０００９】
上記第２の態様は、上記第１の態様において、前記センサのオン／オフを制御するセンサ制御スイッチをさらに具備し、前記制御部は、前記センサ制御スイッチがオン状態の場合に、前記センサから出力される検知情報から所定のパターンが検出された場合に、前記機能切替スイッチで切り替え可能な機能を切り替え、前記センサ制御スイッチがオフ状態になった場合に、前記機能切替スイッチの物理的な設定状態に前記機能を切り替えるものである。  
上記第２の態様によれば、センサ制御スイッチのオフ操作によって、機能切替スイッチの物理的な設定状態と実際のチャネルの設定とが自動的に整合するようになる。
【００１０】
この発明の第３の態様は、上記第１又は第２の態様において、前記センサは、３次元加速度センサ又は光センサであることを特徴とする。  
上記第３の態様によれば、例えば火災現場で厚手の手袋を付けたまま使用するような場合でも、片手で容易に通話チャネルや受話音量を変更することが可能になる。
【発明の効果】
【００１１】
すなわちこの発明によれば、片手で容易に操作可能な携帯無線端末を提供することができる。
【図面の簡単な説明】
【００１２】
【図１】本発明の第１実施形態に係る携帯無線端末の外観図。
【図２】図１の携帯無線端末の機能ブロック図。
【図３】実施例１に係る携帯無線端末の外観図。
【図４】実施例１に係る携帯無線端末の機能ブロック図。
【図５】実施例１に係る３次元加速度センサの出力模式図。
【図６】実施例２に係る携帯無線端末の外観図。
【図７】実施例２に係る携帯無線端末の機能ブロック図。
【図８】実施例２に係る赤外線受光部のセンサの出力模式図。
【図９】本発明の第２実施形態に係る制御部の動作を示すフローチャート。
【発明を実施するための形態】
【００１３】
以下、図面を参照してこの発明に係る実施形態を説明する。  
（第１実施形態）  
図１に本発明の第１実施形態に係る携帯無線端末の外観図を示し、図２に機能ブロック図を示す。携帯無線端末１００は、アンテナ１０１、無線部１０２、マイク１０３、スピーカ１０４、センサ１０５、センサＯｎ／Ｏｆｆスイッチ１０６、ＣＰＵ等の制御部１０７、電源／音量切替スイッチ１０８、チャネル切替スイッチ１０９、ＰＴＴボタン１１０、モニタ１１１、及びキーパッド１１２を備える。
【００１４】
この携帯無線端末１００は、例えば現場作業で使用される業務用無線機として構成される。図１に示すように、携帯無線端末１００の外面には、アンテナ１０１、マイク１０３、スピーカ１０４、モニタ１１１及びキーパッド１１２に加え、各種機能を切り替えるためのスイッチ（つまみ又はボタンであってもよい）として、送信を実行するＰＴＴボタン１１０、通話チャネルを切り替えるチャネル切替スイッチ１０９及び当該端末の電源のＯｎ／Ｏｆｆおよびスピーカ１０４のボリュームをコントロールする電源／音量切替スイッチ１０８が配置されている。
【００１５】
パブリックセーフティ向けの携帯型の業務用無線機は、無線機自体の形状が大きく、重量が重く、またスイッチ形状が大きいという特徴を持つ。しかしながら、例えば、消防無線の場合、現場では消防署員が腰ベルト等に装着して使用したり、腰ベルトから取り外して使用する際も消火用の厚手の手袋を付けたまま使用することがある。このため、現場で通話チャネルや受話音量を変更する等のスイッチを操作するのは困難であった。
【００１６】
そこで、本発明に係る携帯無線端末１００は、片手での機能切替を容易にするため、所定の外的刺激を検知するセンサ１０５を内蔵し、このセンサ１０５のＯｎ／Ｏｆｆを制御するための押しボタン式のセンサＯｎ／Ｏｆｆスイッチ１０６を当該端末の外面に配置する。制御部１０７には、センサ１０５で検知される外的刺激の検知情報と、センサＯｎ／Ｏｆｆスイッチ１０６の状態情報とが入力され、これらの情報に基づいて、携帯無線端末１００が有する各種機能の切り替えを実行する。例えば、使用者がセンサＯｎ／Ｏｆｆスイッチ１０６を押した状態で、外的衝撃、外的振動、外的作用等により変化するセンサ１０５の出力を制御部１０７にて判別し、通話チャネルや受話音量等を切り替える。
【００１７】
このように、上記第１実施形態によれば、悪環境下の現場においても、片手で容易に業務用無線機の各種機能を切り替えることができ、使用者の利便性が向上する。  
以下、センサ１０５の構成、及び機能の切り替え方法の具体例について、各実施例に従って説明する。
【００１８】
（実施例１：３次元加速度センサ）  
実施例１では、上記センサ１０５として、３次元加速度センサを用いる場合を説明する。図３に、実施例１の携帯無線端末の外観図と３次元加速度センサの軸の定義を示し、図４に機能ブロック図を示す。なお、図３及び図４において、図１及び図２と同一部分には同一符号を付し、詳しい説明は省略する。
【００１９】
図３及び図４に示すように、携帯無線端末１００Ａは、３次元加速度センサ１０５１を内蔵し、携帯無線端末１００Ａの外的な３次元の加速度の変化を検出する。制御部１０７は、３次元加速度センサ１０５１から出力される加速度変化の情報と、センサＯｎ／Ｏｆｆスイッチ１０６の状態情報とに基づいて、携帯無線端末１００Ａの機能切り替えを実行する。
【００２０】
ここでは、携帯無線端末１００Ａが待ち受けの状態の際に、使用者がセンサＯｎ／Ｏｆｆスイッチ１０６を押した状態で、図３に示すように携帯無線端末１００Ａを右横方向に一定間隔に明確に２回振った場合を説明する。この場合の３次元加速度センサ１０５１の出力模式図を図５に示す。
【００２１】
制御部１０７は、波形の形状と大きさ、回数、時間間隔Ｔにより、右へ２回振ったことを認識し、当該端末の機能を切り替える。波形の形状を判別することで、左へ振った場合も認識することも可能である。
【００２２】
機能切替の方法として、例えばチャネル切替スイッチ１０９の各スイッチ状態に、ｃｈ１、ｃｈ２、ｃｈ３、ｃｈ４が順番で割り当てられ、チャネル切替スイッチ１０９にて現在ｃｈ１の設定になっている場合、センサＯｎ／Ｏｆｆスイッチ１０６を押した状態で右に２回振るとｃｈ２へ機能が切り替えられる。この機能切替の状態は保持され、もう一度センサＯｎ／Ｏｆｆスイッチ１０６を押した状態で右に２回振った場合、ｃｈ３へと機能が切り替えられる。つまり、センサＯｎ／Ｏｆｆスイッチ１０６を押した状態で右に２回振った場合はｃｈ１からｃｈ４の方向へ、左に２回振った場合はｃｈ４からｃｈ１の方向へ順番に機能が切り替えられる。
【００２３】
これらの機能切替は、チャネル切替スイッチ１０９を変更するまで保持され、チャネル切替スイッチ１０９を変更した場合は、チャネル切替スイッチ１０９が優先され、チャネル切替スイッチ１０９により設定されたチャネルが有効になる。
【００２４】
また、上記では右に２回振る例を説明したが、振る回数、振る間隔、振る方向、振る強さを組み合わせた場合、また左右に振動させた場合、また振るだけでなく当該端末の背面を一定時間内に規則的な間隔で指でタップした場合に受話音量を大きくする等、様々な外的刺激に対して様々な機能切替を割り付けることができる。もちろん、ｙ軸方向への外的刺激、ｚ軸方向への外的刺激、ｘ軸、ｙ軸、およびｚ軸の組み合わせまで拡張することが可能である。
【００２５】
（実施例２：光センサ）  
実施例２では、上記センサ１０５として、光センサを用いる場合を説明する。図６に、実施例２の携帯無線端末の外観図を示し、図７に機能ブロック図を示す。なお、図６及び図７において、図１及び図２と同一部分には同一符号を付し、詳しい説明は省略する。
【００２６】
図６及び図７に示すように、携帯無線端末１００Ｂの外面には、赤外線発光部１０５２と赤外線受光部１０５３とが向かい合うように設置される。例えば、赤外線発光部１０５２は常時発行状態にしておくことで、両者の間に遮蔽物が無い場合は、赤外線受光部１０５３にて常時赤外線を検出し、遮蔽物が有る場合には受光電力は低下する。赤外線受光部１０５３は検知した受光電力情報を制御部１０７へ出力する。制御部１０７は、赤外線受光部１０５３で検知される受光電力情報と、センサＯｎ／Ｏｆｆスイッチ１０６の状態情報とが入力され、これらの情報に基づいて、受光電力の低下が所定のパターンに一致したと判断した場合に、携帯無線端末１００が有する各種機能の切り替えを実行する。
【００２７】
例えば、使用者がセンサＯｎ／Ｏｆｆスイッチ１０６を押した状態で、赤外線発光部１０５２と赤外線受光部１０５３との間に指などを通過させ、赤外線発光部１０５２からの光を規則的な間隔、回数で遮断した場合に、制御部１０７は上記赤外線受光部１０５３の受光電力情報をもとに判別し、携帯無線端末１００Ｂの機能切り替えを実施する。
【００２８】
図８に示すように、例えば、携帯無線端末１００Ｂが待ち受け状態の際に、使用者がセンサＯｎ／Ｏｆｆスイッチ１０６押した状態で、赤外線発光部１０５２と赤外線受光部１０５３との間を定められた間隔Ｔで２回遮った場合、制御部１０７は、受光電力の波形の形状と受光電力の低下、回数、時間間隔により、所定の操作がされたと判断し、携帯無線端末１００Ｂの機能を切り替える。所定のパターンとして、回数、時間間隔の組み合わせを用いて複数のパターンを用意することができる。
【００２９】
また、赤外線発光部１０５２は常時発行するだけでなく、点灯と消灯とを繰り返し、低電力化を図ることも可能である。また、赤外線発光部１０５２とセンサＯｎ／Ｏｆｆスイッチ１０６とを連動させ、低消費電力化を図ることも可能である。
【００３０】
携帯無線端末１００Ｂの周囲が十分に明るい場合には、赤外線発光部１０５２を取り除き、赤外線受光部１０５３のかわりに赤外線ではなく、可視光線により反応する光センサを用いることも可能である。
【００３１】
なお、上記実施例１、２において、機能切替の割り付けとしては、チャネル切替機能、スピーカ１０４のボリュームコントロール機能、モニタ１１１の輝度調整機能、当該端末の電源Ｏｎ／Ｏｆｆ機能等、当該端末が持っている機能に関し、制限を受けるものではない。
【００３２】
また、この端末のセンサＯｎ／Ｏｆｆスイッチ１０６は、誤検出等を避ける目的で実装しているが、誤検出が許される場合、または誤検出されないような複雑な外的刺激による機能切替などの誤検出が起きないような手段を用いた場合には、センサＯｎ／Ｏｆｆスイッチ１０６を取り除き、外的刺激による機能切替を常時許可することもできる。
【００３３】
上記実施例１、２では、待ち受け状態の機能切替方法に関して記載しているが、待ち受け状態にかかわらず、送信中、受信中、電源ＯＦＦ時等、当該端末の状態如何にかかわらず、機能切替を実施することも可能である。
【００３４】
（第２実施形態）  
本発明の第２実施形態は、第１実施形態に係る携帯無線端末１００の制御部１０７の動作を変更したものである。第１実施形態との構成の差異は、センサＯｎ／Ｏｆｆスイッチ１０６をＯｎ／Ｏｆｆ切り替え状態を保持できるスライドスイッチ等で構成する点にある。その他の構成は、第１実施形態と同様のため、図１及び図２を用いて説明を行い、詳しい説明は省略する。
【００３５】
図９は、第２実施形態に係る携帯無線端末１００の動作を示すフローチャートである。この例では、消防署内では通常ｃｈ１を使用し、現場では他のチャネル（例えばｃｈ２）により通信を行うものとする。また、
署内では、使用者はチャネル切替スイッチ１０９をｃｈ１に設定して通信を行う（ステップＳ１）。出動指令があり、使用者がセンサＯｎ／Ｏｆｆスイッチ１０６をＯｎに切り替えると、制御部１０７は、「センサ切り替えが可能になりました。」等の音声ガイダンスをスピーカ１０４から出力する（ステップＳ２）。
【００３６】
現場に到着すると、使用者は、現場で使用するチャネル（ｃｈ２）に切り替えるために、携帯無線端末１００に外的刺激を加える。制御部１０７は、センサ１０５の出力により所定の外的刺激を検知すると（ステップＳ３）、ｃｈ２へ機能を切り替える（ステップＳ４）。ステップＳ３の機能切り替えの実施判定には、上記実施例１の３次元加速度センサや上記実施例２の光センサを使用した手法を適用することができる。
【００３７】
現場作業を完了して帰署し、使用者がセンサＯｎ／Ｏｆｆスイッチ１０６をＯｆｆに切り替えると、制御部１０７は、「センサ切り替えがオフになりました。」等の音声ガイダンスをスピーカ１０４から出力する（ステップＳ５）。制御部１０７は、センサＯｎ／Ｏｆｆスイッチ１０６で物理的に設定されているｃｈ１に自動的に切り替える（ステップＳ６）。
【００３８】
第２実施形態によれば、センサＯｎ／Ｏｆｆスイッチ１０６のＯｆｆ操作によって、チャネル切替スイッチ１０９の物理的な設定状態と実際のチャネルの設定とが自動的に整合するようになる。
【００３９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１００…携帯無線端末、１０１…アンテナ、１０２…無線部、１０３…マイク、１０４…スピーカ、１０５…センサ、１０６…センサＯｎ／Ｏｆｆスイッチ、１０７…制御部、１０８…電源／音量切替スイッチ、１０９…チャネル切替スイッチ、１１０…ＰＴＴボタン、１１１…モニタ、１１２…キーパッド。
【図１】
2015194960.tif 000003
【図２】
2015194960.tif 000004
【図３】
2015194960.tif 000005
【図４】
2015194960.tif 000006
【図５】
2015194960.tif 000007
【図６】
2015194960.tif 000008
【図７】
2015194960.tif 000009
【図８】
2015194960.tif 000010
【図９】
2015194960.tif 000011